(57)【要約】【課題】抽出対象の方法回答文の網羅性を高め、さらに、ユーザが所望する説明回答をより簡単に取得することを可能にする。【解決手段】本発明は、入力された方法質問文から、少なくとも１つの検索語を含む検索語集合を抽出し、検索語集合を検索キーとして文書検索を行い、取得したすべての検索結果文書を検索結果記憶手段に格納し、検索結果記憶手段に格納されている検索結果文書の中から箇条書きを構成している個々の項目である箇条項目を検出し、方法回答文の特徴を反映した所定の算出方法に基づいて、個々の箇条項目に対して、方法説明の回答らしさを示す説明スコアを算出し、説明スコアの値が高い箇条項目を方法質問文の回答として出力する。【選択図】図１
2007200248.tif 000002
【特許請求の範囲】
【請求項１】
方法を問う質問文である方法質問文が与えられると、該方法質問文に対する方法回答文を抽出する方法説明抽出方法であって、
入力された前記方法質問文から、少なくとも１つの検索語を含む検索語集合を抽出する検索語抽出ステップと、
前記検索語集合を検索キーとして文書検索を行い、取得したすべての検索結果文書を検索結果記憶手段に格納する文書検索ステップと、
前記検索結果記憶手段に格納されている前記検索結果文書の中から箇条書きを構成している個々の項目である箇条項目を検出する箇条項目検出ステップと、
方法回答文の特徴を反映した所定の算出方法に基づいて、個々の箇条項目に対して、方法説明の回答らしさを示す説明スコアを算出する説明スコア付与ステップと、
前記説明スコアの値が高い箇条項目を前記方法質問文の回答として出力する結果提示ステップと、
を行うことを特徴とする方法説明抽出方法。
【請求項２】
前記方法回答文を特徴付ける単語の所定のパターンを、方法回答文特徴パターンとして設定しておき、
前記説明スコア付与ステップにおいて、
前記箇条項目内の最初の文に関して、前記方法回答文特徴パターンと合致する部分、または、前記検索語集合に含まれる単語と合致する部分を判定し、合致部分と前記検索結果文書から得る特徴量と前記所定の算出式に基づいて、前記説明スコアを算出する、
請求項１記載の方法説明抽出方法。
【請求項３】
方法を問う質問文である方法質問文が与えられると、該方法質問文に対する方法回答文を抽出する方法説明抽出装置であって、
入力された前記方法質問文から、少なくとも１つの検索語を含む検索語集合を抽出する検索語抽出手段と、
前記検索語集合を検索キーとして文書検索を行い、取得したすべての検索結果文書を検索結果記憶手段に格納する文書検索手段と、
前記検索結果記憶手段に格納されている前記検索結果文書の中から箇条書きを構成している個々の項目である箇条項目を検出する箇条項目検出手段と、
方法回答文の特徴を反映した所定の算出方法に基づいて、個々の箇条項目に対して、方法説明の回答らしさを示す説明スコアを算出する説明スコア付与手段と、
前記説明スコアの値が高い箇条項目を前記方法質問文の回答として出力する結果提示手段と、
を有することを特徴とする方法説明抽出装置。
【請求項４】
前記方法回答文を特徴付ける単語の所定のパターンを、方法回答文特徴パターンとして設定しておく手段を更に有し、
前記説明スコア付与手段は、
前記箇条項目内の最初の文に関して、前記方法回答文特徴パターンと合致する部分、または、前記検索語集合に含まれる単語と合致する部分を判定し、合致部分と前記検索結果文書から得る特徴量と前記所定の算出式に基づいて、前記説明スコアを算出する手段を含む、
請求項３記載の方法説明抽出装置。
【請求項５】
方法を問う質問文である方法質問文が与えられると、該方法質問文に対する方法回答文を抽出する方法説明抽出プログラムであって、
コンピュータを、
請求項３または４記載の方法説明抽出装置として機能させることを特徴とする方法説明抽出プログラム。
【請求項６】
方法を問う質問文である方法質問文が与えられると、該方法質問文に対する方法回答文を抽出する方法説明抽出プログラムを格納したコンピュータ読み取り可能な記録媒体であって、
コンピュータを、
請求項３または４記載の方法説明抽出装置として機能させる方法説明抽出プログラムを格納したことを特徴とするコンピュータ読み取り可能な記録媒体。
【発明の詳細な説明】
【技術分野】
【０００１】
本発明は、方法説明抽出方法及び装置及びプログラム及びコンピュータ読み取り可能な記録媒体に係り、特に、方法を問う質問文が与えられると、この方法質問文に対する回答文を抽出するための方法説明抽出方法及び装置及びプログラム及びコンピュータ読み取り可能な記録媒体に関する。
【背景技術】
【０００２】
従来の質問応答技術は、与えられた質問文から検索キーを得た上で、検索エンジンを利用して大量の文書から関連文書を取り出し、さらに質問文に対する回答をその関連文書から抽出することを行うことが通例となっている。
【０００３】
例えば、質問文に基づいて質問種別を判定し、関連文書について固有表現もしくは数値表現を抽出し、質問種別に合致する適切な表現を回答として抽出する技術が知られている（例えば、特許文献１参照）。
【０００４】
また、自然文で表現された質問文に対し、質問文に含まれる単語n-gramが多く出現する文書を上位に再ランキングし、質問文の質問タイプにあった固有・数値表現を上位の文書から抽出する技術が知られている（例えば、特許文献２参照）。
【特許文献１】特開２００２−１３２８１１号公報
【特許文献２】特開２００４−３５５５５０号公報
【発明の開示】
【発明が解決しようとする課題】
【０００５】
従来の質問応答技術は、人物名、地名、数量などの短い言葉を表せる固有表現（named entity)または、数値表現を回答とすることを対象としており、理由や方法・手順といった説明的な回答を求める質問文には対応できない。例えば、「韓国の大統領は誰ですか？」「２００８年のオリンピック開催地はどこですか？」「東京タワーの高さは何メートルですか？」といった短いことばで回答のできる質問文が従来技術の対象である。つまり、従来の質問応答技術では、「なぜ海は青いのですか？」「どうやったらおいしいカレーが作れますか？」など、説明を求める質問文は対象としていなかった。
【０００６】
一方、説明を求める質問に対しては、既存のＱ＆Ａ集の検索で解決する方法がある。つまり、これは既存のＱ＆Ａ集に対して文書検索を行い、質問文に合致するＱＡペアを検索して所望の回答を得る方法である。しかしながら、一般に公開されているＱ＆Ａ集は、コンピュータ、医療、法律といったようにある特定分野に特化されていたり、利用できるＱ＆Ａ集のサイズが小さかったり、あるいは、回答となる記述が文書中の一部分で、ユーザ自身が回答を探す必要があったりする、という理由から、質問に対する所望の説明回答を見つけることが困難であることが多い。
【０００７】
本発明は、上記の点に鑑みなされたもので、Ｑ＆Ａ集や一般のＷｅｂページを含む、あらゆるタイプの文書を対象としている検索エンジンを用いることで、抽出対象の方法回答文の網羅性を高め、さらに、検索結果文書内に出現している、回答らしさが高い箇条項目のみを提示することで、ユーザが所望の説明回答をより簡単に取得することが可能な方法説明抽出方法及び装置及びプログラム及びコンピュータ読み取り可能な記録媒体を提供することを目的とする。
【課題を解決するための手段】
【０００８】
図１は、本発明の原理を説明するための図である。
【０００９】
本発明（請求項１）は、方法を問う質問文である方法質問文が与えられると、該方法質問文に対する方法回答文を抽出する方法説明抽出方法であって、
入力された方法質問文から、少なくとも１つの検索語を含む検索語集合を抽出する検索語抽出ステップ（ステップ１）と、
検索語集合を検索キーとして文書検索を行い、取得したすべての検索結果文書を検索結果記憶手段に格納する文書検索ステップ（ステップ２）と、
検索結果記憶手段に格納されている検索結果文書の中から箇条書きを構成している個々の項目である箇条項目を検出する箇条項目検出ステップ（ステップ３）と、
方法回答文の特徴を反映した所定の算出方法に基づいて、個々の箇条項目に対して、方法説明の回答らしさを示す説明スコアを算出する説明スコア付与ステップ（ステップ４）と、
説明スコアの値が高い箇条項目を方法質問文の回答として出力する結果提示ステップ（ステップ５）と、を行う。
【００１０】
また、本発明（請求項２）は、方法回答文を特徴付ける単語の所定のパターンを、方法回答文特徴パターンとして設定しておき、
説明スコア付与ステップ（ステップ４）において、
箇条項目内の最初の文に関して、方法回答文特徴パターンと合致する部分、または、検索語集合に含まれる単語と合致する部分を判定し、合致部分と検索結果文書から得る特徴量と所定の算出式に基づいて、説明スコアを算出する。
【００１１】
図２は、本発明の原理構成図である。
【００１２】
本発明（請求項３）は、方法を問う質問文である方法質問文が与えられると、該方法質問文に対する方法回答文を抽出する方法説明抽出装置１０であって、
入力された方法質問文から、少なくとも１つの検索語を含む検索語集合を抽出する検索語抽出手段１１と、
検索語集合を検索キーとして文書検索を行い、取得したすべての検索結果文書を検索結果記憶手段１６に格納する文書検索手段１２と、
検索結果記憶手段１６に格納されている検索結果文書の中から箇条書きを構成している個々の項目である箇条項目を検出する箇条項目検出手段１３と、
方法回答文の特徴を反映した所定の算出方法に基づいて、個々の箇条項目に対して、方法説明の回答らしさを示す説明スコアを算出する説明スコア付与手段１４と、
説明スコアの値が高い箇条項目を方法質問文の回答として出力する結果提示手段１５と、を有する。
【００１３】
また、本発明（請求項４）は、方法回答文を特徴付ける単語の所定のパターンを、方法回答文特徴パターンとして設定しておく手段を更に有し、
説明スコア付与手段１４は、
箇条項目内の最初の文に関して、方法回答文特徴パターンと合致する部分、または、検索語集合に含まれる単語と合致する部分を判定し、合致部分と検索結果文書から得る特徴量と所定の算出式に基づいて、説明スコアを算出する手段を含む。
【００１４】
本発明（請求項５）は、方法を問う質問文である方法質問文が与えられると、該方法質問文に対する方法回答文を抽出する方法説明抽出プログラムであって、
コンピュータを、
請求項３または４記載の方法説明抽出装置として機能させる方法説明抽出プログラムである。
【００１５】
本発明（請求項６）は、方法を問う質問文である方法質問文が与えられると、該方法質問文に対する方法回答文を抽出する方法説明抽出プログラムを格納したコンピュータ読み取り可能な記録媒体であって、
コンピュータを、
請求項３または４記載の方法説明抽出装置として機能させる方法説明抽出プログラムを格納したコンピュータ読み取り可能な記録媒体である。
【発明の効果】
【００１６】
上記のように本発明によれば、検索結果文書内の箇条項目に対して、回答らしさを示す説明スコアを算出し、この算出された説明スコアが高い箇条項目のみを提示するので、ユーザは所望の説明回答をより簡単に得ることができる。
【発明を実施するための最良の形態】
【００１７】
以下、図面と共に本発明の実施の形態を説明する。
【００１８】
図３は、本発明の一実施の形態における方法説明抽出装置の構成を示す。
【００１９】
同図に示す方法説明抽出装置１０は、質問解析部１１、文書検索部１２、箇条項目検出部１３、説明スコア付与部１４、結果提示部１５、及び検索結果記憶部１６から構成され、文書検索部１２には検索エンジン２０が、結果提示部１５には表示装置３０が接続されている。
【００２０】
質問解析部１１は、入力された質問文から検索語集合を抽出する。なお、入力される質問文は、入力装置（図示せず）から入力されても、または、ディスク装置等の記憶手段から読み込んで入力してもよい。また、検索語集合を抽出する方法として、質問文を形態素解析して名詞のみを抽出する方法が考えられる。
【００２１】
文書検索部１２は、検索語集合を検索キーとして検索エンジン２０に入力し、検索エンジン２０で文書検索された結果を取得して、検索結果記憶部１６に格納する。
【００２２】
箇条項目検出部１３は、検索結果記憶部１６から検索結果文書を読み出して、箇条書きを構成している個々の項目である箇条項目を検出する。
【００２３】
説明スコア付与部１４は、方法回答文の特徴を反映した所定の算出方法に基づいて、箇条項目の個々に対して、方法説明の回答らしさを示す説明スコアを算出する。
【００２４】
結果提示部１５は、説明スコアの値が高い箇条項目を入力された方法質問文の回答として、表示装置３０に出力する。
【００２５】
次に、上記の構成における動作を説明する。
【００２６】
図４は、本発明の一実施の形態における方法説明抽出装置の動作のフローチャートである。
【００２７】
ステップ１１０）  まず、質問解析部１１において、入力された方法に関する質問文から１つ以上の検索語で構成される検索語集合を抽出する。
【００２８】
ステップ１２０）  文書検索部１２が、上記の検索語集合を文書検索エンジン２０に入力して文書検索を行い、その結果得られる個々の検索結果文書を取得して、検索結果記憶部１６に格納する。
【００２９】
ステップ１３０）  箇条項目検出部１３が上記の検索結果文書の中から、箇条書きを構成している個々の項目である箇条項目を検出する。
【００３０】
ステップ１４０）  説明スコア付与部１４がステップ１３０で取得した全ての箇条項目に対して、方法回答文の特徴を反映した所定の算出方法に基づき、上記の箇条項目の個々に対して、方法説明の回答らしさを示す説明スコアを算出する。
【００３１】
ステップ１５０）  結果提示部１５は、ステップ１３０で取得した箇条項目のうち、ステップ１４０にて算出した説明スコアの値が高い箇条項目を、ステップ１１０で入力された方法質問文の回答として、表示装置３０に表示する。
【００３２】
次に、上記のステップ１４０における、ある１つの箇条項目の説明スコアを算出する際の詳細な動作を説明する。
【００３３】
図５は、本発明の一実施の形態における説明スコア付与部の動作のフローチャートである。ここで、『方法回答文特徴パターン』は、所定の方法回答文を特徴付ける単語のパターンであり、例えば、「方法」、「やり方」、「手続き」、「策」などの単語を当該パターンとする。なお、この方法回答文特徴パターンは、外部から入力してもよいし、メモリ（図示せず）に格納しておき、説明スコア付与部１４が参照するようにしてもよい。
【００３４】
ステップ１４１）  説明スコア付与部１４は、検索結果記憶部１６から取得した箇条項目中に、上記の方法回答パターンと合致する箇所を特定する。
【００３５】
ステップ１４２）  箇条項目中にステップ１２０で抽出した検索語集合に含まれる検索語と合致する箇所を特定する。
【００３６】
ステップ１４３）  次に、ステップ１４１、ステップ１４２で特定した合致部分と、当該検索結果文書から所定の特徴量を抽出する。
【００３７】
ステップ１４４）  ステップ１４３において得られた特徴量と予め定められた算出式に基づいて、当該箇条項目に対する方法説明の回答らしさを示す方法説明スコアを計算する。
【００３８】
次に、上記に示す方法について具体例を用いて説明する。
【００３９】
以下では、方法説明抽出装置１０が、図４と図５のフローチャートに沿って、質問文「花粉症の予防と対策はどうすればよい？」に対して、検索結果記憶部１６に保持されている文書検索結果から回答説明を抽出する動作について説明する。
【００４０】
最初に、質問解析部１１は、質問文「花粉症の予防と対策はどうすればよい？」が入力されると、入力された当該質問文から１つ以上の検索語によって構成される検索語集合を抽出する（ステップ１１０）。検索語集合を抽出する方法としては、例えば、質問文を形態素解析し、得られた名詞を検索語集合と見做すこととする。
【００４１】
つまり、「花粉症の予防と対策はどうすればよい？」からは、「花粉症」と「予防」と「対策」の３つの名詞を検索語集合として抽出できる。
【００４２】
他の方法としては、名詞に加え、動詞語幹を検索語とする方法、あるいは、形態素解析を用いずに、予め用意された辞書とマッチする単語を検索語とする方法などが考えられるが、ここでは規定しない。以下の説明では、検索語集合を抽出する場合、質問文を形態素解析し、得られた名詞を検索語集合とみなす方法のみを使用するものとする。
【００４３】
次に、文書検索部１２は、質問解析部１１で得られた検索語集合「花粉症」「予防」「対策」を文書検索エンジン２０の入力として文書検索を行う（ステップ１２０）。
【００４４】
図６は、本発明の一実施の形態における検索結果の例であり、文書検索エンジン２０から取得した結果を表示した例である。同図に示す検索結果画面の個々の項目は、検索順位（例えば、「４」）、検索文書タイトル（例えば、「２００５年花粉症予防と対策」）、検索文書ＵＲＬ（例えば、「http://tuvwxyz.com/kafun/」）からなる。
【００４５】
なお、文書検索部１２で用いる文書検索エンジンは、「goo（登録商標）」、「Google（登録商標）」といった一般に使われるＷｅｂ検索エンジンや、「OKWeb（登録商標)」、「はてな（登録商標）」といったＱ＆Ａ集に特化した検索エンジンでもよいし、イントラネットやＰＣローカルなどに閉じた文書検索エンジンでもよい。つまり、ここで用いる検索エンジンは、検索キーワードを入力として、その検索キーワードに関連する文書のリストを返す検索エンジンであればなんでもよい。
【００４６】
さらに、文書検索部１２は、上記の検索結果画面に示されている個々の検索文書そのものを全て検索文書URLを辿って取得する。図６では、例えば、４番目の項目については、“http://tuvwxyz.com/kafun/”のURLで示される文書を実際に取得する。図７は、図６で示される検索結果リストの４番目の検索文書の内容例を示す。当該文書が検索結果記憶部１６に格納される。なお、本発明を実施する場合、実際にはHTMLタグを除いてプレーンテキストに変換したり、文字コード正規化したりするなどの文書の修正処理が必要となるが、本発明の本質ではないので、詳細な説明を省略する。
【００４７】
次に、箇条項目検出部１３は、文書検索部１２によって得られた検索結果記憶部１６の検索結果文書の中から、箇条書きを構成している個々の項目である箇条項目を検出する（ステップ１３０）。箇条項目を検出する具体的な方法の一例として、以下の方法をとる。
【００４８】
まず、箇条項目の先頭を示す所定の箇条書きの記号のパターンを検索結果文書内で特定する。本実施の形態では、この箇条書きのパターンを黒四角、黒丸で表す記号文字とする。このとき、図７の文書内には、黒四角が４、黒丸が５個、それぞれ検出することができる。
【００４９】
次に、箇条書きの記号から始まり、同じ記号が出現するまでの文字列を、１つの箇条項目として検出する。このとき、同じ記号が文書の終端まで現れなかった場合は、文書の終端までを一つの箇条項目と見做すこととする。図７の文書例では、ａ〜ｉで示される範囲が、それぞれの箇条項目として検出できる。
【００５０】
以上のようにして、図７の文書からはａ〜ｉで示される範囲の９個の箇条項目を検出できる。箇条項目を示す記号は、他の記号でもよく、また＜li＞のようなＨＴＭＬタグでもよい。さらには、昇順に出現する数字（例えば、「１．」「２．」など）を箇条項目の先頭を示すパターンとみなし、箇条書きの範囲を特定してもよい。
【００５１】
以下の実施の説明では、簡単のため、検索語集合「花粉症」「予防」「対策」に対する検索結果文書は、図７に示すもののみとし、上記にあるａ〜ｉの９個の箇条項目を処理対象とする。
【００５２】
次に、説明スコア付与部１４は、箇条項目検出部１３がステップ１３０で取得した全ての箇条項目に対して、方法回答文の特徴を反映した所定の算出方法に基づき、個々の箇条項目に対して、方法説明の回答らしさを示す説明スコアを算出する（ステップ１４０）。
【００５３】
以下の説明では、説明スコア付与部１４が図７で示される文書内のｃの箇条項目に対して、説明スコアを算出する具体的な動作を説明する。
【００５４】
まず、箇条項目ｃの中で方法回答文特徴パターンと合致する箇所を特定する（ステップ１４１）。図７では、方法回答文特徴パターンを斜文字で示している。
【００５５】
ここで、方法回答文特徴パターンとは、予め定める方法回答文を特徴付ける単語のパターンであり、例えば、「方法」、「やり方」、「手順」、「手続き」、「策」などの単語がそのパターンとしてあげられる。
【００５６】
本実施の形態では、ここで例にあげた５単語を方法回答文特徴パターンの内容とする。他にも、このパターンは、＜動詞連体形＞＋「方」といった、品詞の活用による条件で設定したり、あるいは、“手順”の意味クラスを持つ単語といったように、単語の意味による条件で設定したりできるが、ここでは規定しない。
【００５７】
さらに、箇条項目ｃの中で検索語集合に含まれる検索語「花粉症」、「予防」、「対策」と合致する箇所を特定する（ステップ１４２）。図７では、合致した単語を太字で示している。
【００５８】
上記のステップ１４１及びステップ１４２で特定した合致部分と当該検索結果文書から、次のステップ１４４の計算で用いる所定の特徴量を抽出する。
【００５９】
抽出する特徴量は様々考えられるが、本実施の形態では、次の４個の特徴量を抽出することとする。
【００６０】
特徴量は、
（１）箇条項目の先頭文に含まれる検索語の数ｆ１；
（２）箇条項目の先頭文に含まれる方法回答文特徴パターンの数ｆ２；
（３）当該箇条項目に含まれる箇条項目の数ｆ３；
（４）当該検索結果文書の検索順位ｒ；
を用いる。
【００６１】
図７の箇条項目ｃに関しては、
（１）箇条項目の先頭文「花粉症の予防策はありますか？」には、検索語「花粉症」ト「予防」が含まれ、その数は“２”となる。
【００６２】
（２）箇条項目の先頭文「花粉症の予防策はありますか？」には方法回答文特徴パターン「策」が含まれ、その数は“１”となる。
【００６３】
（３）箇条項目ｃに含まれる箇条項目数は、ｅ，ｆ，ｇ，ｈの“４つ”である（箇条項目ｉの全てをｃは含んでいないので、ここでは除外することとする）。
【００６４】
（４）当該検索結果文書（図７）の検索順位は“４”である。
【００６５】
上記から、箇条項目ｃの特徴量は、ｆ１＝２、ｆ２＝１、ｆ３＝４、ｒ＝４として抽出できる。
【００６６】
説明スコア付与部１４の最後のステップとして、ステップ１４３において得られた特徴量と予め定められた算出式に基づいて、当該箇条項目に対する方法説明の回答らしさを示す方法説明スコアを計算する（ステップ１４４）。方法説明スコアの算出式は、本実施の形態では、以下の式を使うこととする。Ｎは、ステップ１１０で得られた検索語の数を表す。
【００６７】
Score(x)=w1×f1÷Ｎ＋w2×f2÷（1＋f2）＋w3×f3÷（1＋f3）＋w4×(1÷r)
ここで、ｗ１〜ｗ４は、各パラメータに対する重みであり、実験的に予め設定しておく。本実施の形態では、全て同じ重みｗ１＝ｗ２＝ｗ３＝ｗ４＝０．２５とする。また、箇条項目ｃ（図７）に関しては、検索語は３語なので、Ｎ＝３である。
【００６８】
これにより、図７の箇条項目ｃの説明スコアは、
Score(c)=0.25×2÷3＋0.25×1÷（1＋1）＋0.25×4÷（1＋4）＋0.25÷4=0.554
と計算できる。
【００６９】
上記の重みの定数については、学習データを用意し、重回帰分析などを行ってパラメータを推定しても構わない。また、説明スコアの算出式も、ステップ１４３で抽出した特徴量の関数で、方法説明の回答らしさを反映するものであればよく、上記の式に限定しない。
【００７０】
以上同様にして、他の箇条項目についても方法説明の回答らしさを示す方法説明スコアを計算する。図７の文書例では、箇条項目ａ、ｂの説明スコアはScore(x)=0.146、箇条項目ｄの説明スコアはScore(x)=0.229、箇条項目ｅ，ｆ，ｇ，ｈ，ｉの説明スコアは、Score(x)=0.0625となる。
【００７１】
最後に、結果提示部１５は、ステップ１３０で得た箇条項目のうち、ステップ１４０にて算出した説明スコアの値が最も高い箇条項目を表示装置３０に出力することとする。図８は、本発明の一実施の形態における回答提示例であり、本実施の形態が対象としている９個の箇条項目のうち説明スコアが最も高かった箇条項目ｃを回答として提示している。
【００７２】
結果の提示のしかたとしては特に決まりがなく、説明スコアが降順になるように、箇条項目を並べて提示してもよい。
【００７３】
なお、本発明は、図３に示す方法説明抽出装置の動作をプログラムとして構築し、方法説明抽出装置として利用されるコンピュータにインストールして実行させる、または、ネットワークを介して流通させることが可能である。
【００７４】
また、構築されたプログラムを、ハードディスクや、フレキシブルディスク・ＣＤ−ＲＯＭ等の可搬記憶媒体に格納し、コンピュータにインストールする、または、配布することが可能である。
【００７５】
なお、本発明は、上記の実施の形態に限定されることなく、特許請求の範囲内において種々変更・応用が可能である。
【産業上の利用可能性】
【００７６】
本発明は、質問応答システムや情報抽出システムや検索システムに適用可能である。
【図面の簡単な説明】
【００７７】
【図１】本発明の原理を説明するための図である。
【図２】本発明の原理構成図である。
【図３】本発明の一実施の形態における方法説明抽出装置の構成図である。
【図４】本発明の一実施の形態における方法説明抽出装置の動作のフローチャートである。
【図５】本発明の一実施の形態における説明スコア付与部の動作のフローチャートである。
【図６】本発明の一実施の形態における検索結果の例である。
【図７】本発明の一実施の形態における検索結果画面の４番目の文書の内容である。
【図８】本発明の一実施の形態における回答提示例である。
【符号の説明】
【００７８】
１０  方法説明抽出装置
１１  質問解析手段、質問解析部
１２  文書検索手段、文書検索部
１３  箇条項目検出手段、箇条項目検出部
１４  説明スコア付与手段、説明スコア付与部
１５  結果提示手段、結果提示部
【図１】
2007200248.tif 000003
【図２】
2007200248.tif 000004
【図３】
2007200248.tif 000005
【図４】
2007200248.tif 000006
【図５】
2007200248.tif 000007
【図６】
2007200248.tif 000008
【図７】
2007200248.tif 000009
【図８】
2007200248.tif 000010